(57)【特許請求の範囲】
【請求項１】
マシンとネットワークとの間のネゴシエーションを通して前記マシンのオペレーション能力を前記ネットワークにより決定するステップと、
前記マシンにより、前記決定されたオペレーション能力に基づいて前記ネットワークと通信するステップとを備え、
前記ネゴシエーションは、
前記マシンにより、その特定の能力を前記ネットワークに対して送信するステップと、
前記ネットワークにより、前記マシンの前記特定の能力に基づいて前記マシンの前記オペレーション能力を決定するステップ、および前記オペレーション能力を前記マシンに対して送信するステップとを備え、
前記ネットワークにより、前記マシンの前記特定の能力に基づいて前記マシンの前記オペレーション能力を決定するステップは、
前記ネットワークにより、オペレータ戦略と、充電モードと、ユーザ・データベースとを取り出すことにより、前記マシンのために最も適切なオペレーション能力に重みを付けるステップ
を備えるマシン・タイプ・コミュニケーションの方法。
【請求項２】
マシンとネットワークとの間のネゴシエーションを通して前記マシンのオペレーション能力を前記ネットワークにより決定するステップと、
前記マシンにより、前記決定されたオペレーション能力に基づいて前記ネットワークと通信するステップとを備えるマシン・タイプ・コミュニケーションの方法であって、
前記ネゴシエーションは、
前記マシンにより、その特定の能力を前記ネットワークに対して送信するステップと、
前記ネットワークにより、前記マシンの前記特定の能力に基づいて前記マシンの前記オペレーション能力を決定するステップ、および前記オペレーション能力を前記マシンに対して送信するステップとを備え、
前記マシン・タイプ・コミュニケーションの方法は、
前記ネットワークにより、前記オペレーション能力を前記マシンに対して送信しながら、前記ネットワークの特定の能力を前記マシンに対してブロードキャストするステップと、
最適なオペレーション能力を使用して前記ネットワークと通信するために、前記マシンにより、前記ネットワークからの、前記オペレーション能力と、前記ネットワークの前記特定の能力とに基づいて、前記最適なオペレーション能力を決定するステップと
をさらに備えるマシン・タイプ・コミュニケーションの方法。
【請求項３】
マシンとのネゴシエーションを通して前記マシンのオペレーション能力をネットワークにより決定するように構成された前記ネットワークと、
前記決定されたオペレーション能力に基づいて前記ネットワークと通信するように構成された前記マシンとを備え、
前記マシンは、前記マシンの特定の能力を前記ネットワークに対して送信するように構成された特定能力送信モジュールと、前記オペレーション能力を前記ネットワークから受信するように構成されたオペレーション能力受信モジュールと、前記オペレーション能力に基づいて前記ネットワークと通信するように構成されたアプリケーション・モジュールとを備え、
前記ネットワークは、前記マシンの前記特定の能力に基づいて前記マシンの前記オペレーション能力を決定するように構成されたオペレーション能力決定モジュールと、前記決定されたオペレーション能力を前記マシンに対して送信するように構成されたオペレーション能力送信モジュールとを備え、
前記オペレーション能力決定モジュールは、オペレータ戦略と、充電モードと、ユーザ・データベースとを取り出すことにより前記マシンのために最も適切なオペレーション能力に重みを付けるマシン・タイプ・コミュニケーションのシステム。
【請求項４】
マシンとのネゴシエーションを通して前記マシンのオペレーション能力をネットワークにより決定するように構成された前記ネットワークと、
前記決定されたオペレーション能力に基づいて前記ネットワークと通信するように構成された前記マシンとを備え、
前記マシンは、前記マシンの特定の能力を前記ネットワークに対して送信するように構成された特定能力送信モジュールと、前記オペレーション能力を前記ネットワークから受信するように構成されたオペレーション能力受信モジュールと、前記オペレーション能力に基づいて前記ネットワークと通信するように構成されたアプリケーション・モジュールとを備え、
前記ネットワークは、前記マシンの前記特定の能力に基づいて前記マシンの前記オペレーション能力を決定するように構成されたオペレーション能力決定モジュールと、前記決定されたオペレーション能力を前記マシンに対して送信するように構成されたオペレーション能力送信モジュールとを備え、
前記オペレーション能力送信モジュールは、前記オペレーション能力を前記マシンに対して送信しながら、前記ネットワークの特定の能力を前記マシンに対してブロードキャストするように構成されており、
前記オペレーション能力受信モジュールは、前記オペレーション能力と、前記ネットワークの前記特定の能力とを前記ネットワークから受信するように構成されており、また
前記アプリケーション・モジュールは、最適なオペレーション能力を使用して前記ネットワークと通信するために、前記ネットワークからの、前記オペレーション能力と、前記ネットワークの前記特定の能力とに基づいて前記最適なオペレーション能力を決定するように構成されているマシン・タイプ・コミュニケーションのシステム。
【発明の詳細な説明】
【技術分野】
【０００１】
本発明の実施形態は、マシン・タイプ・コミュニケーションとモバイル・コミュニケーションとに関し、より詳細には、マシン・タイプ・コミュニケーションの方法およびシステム、ならびにセル探索の方法およびシステムに関する。
【背景技術】
【０００２】
人間の間のコミュニケーションとは違って、マシン・タイプ・コミュニケーションは、最適な適用可能性の効果を達成するために、モジュール設計コスト、性能、消費電力など、多数のファクタを考慮に入れなければならない。そのようなマシンは、将来において開発され、また大量生産されるであろう。
【０００３】
マシンは、特定のアプリケーションのために設計される。例えば、マシンは、特にインテリジェントな測定のために設計される。さらに、多数のタイプのマシンでは、低消費電力もまた、重要である。さらに、ネットワークにおいて、異なる戦略と、複数のマシン製造業者とさえも採用する異なるオペレータが、存在しており、またマシンは、オペレータのネットワークの中で実行することが必要とされる。
【０００４】
上記の様相を考慮して、マシンの能力は、特定のアプリケーションのために構成されるべきである。例えば、第３世代パートナーシップ・プロジェクト・無線アクセス・ネットワーク（３ｒｄ  Ｇｅｎｅｒａｔｉｏｎ  Ｐａｒｔｎｅｒｓｈｉｐ  Ｐｒｏｊｅｃｔ  Ｒａｄｉｏ  Ａｃｃｅｓｓ  Ｎｅｔｗｏｒｋ）（３ＧＰＰ  ＲＡＮ）においては、端末が、特定のアプリケーションがサポートされたチャネル、符号化スキーム、帯域幅などに関して、あらかじめ構成されていることが必要とされる。しかしながら、特定のアプリケーションのためにマシンの能力をあらかじめ構成するそのようなスキームは、マシン・タイプ・コミュニケーションのコストを改善する。それゆえに、マシン・タイプ・コミュニケーションの方法およびシステムがコストを低減させることが望ましい。
【０００５】
モバイル・コミュニケーションにおいては、マシンは、セル探索を実行して、端末にとって使用可能なネットワークを決定することが必要であり、またそのネットワークの中で情報をやりとりする。既存のセル探索方法においては、マシンは、すべてのセルを通して最も良い信号を有するセルを探索し、使用可能なセルが、正常に見出される場合に、マシンは、ブロードキャスト・チャネル（ｂｒｏａｄｃａｓｔ  ｃｈａｎｎｅｌ）（ＢＣＨ）を受信し、次いで、ネットワークからデータと、セル特有の基準信号とを受信して、コミュニケーションを実行し、そうでない場合には、マシンは、周期的探索（ｃｙｃｌｉｃ  ｓｅａｒｃｈ）を実行する。しかしながら、セルの中で固定されるマシン（例えば、インテリジェントな測定デバイス）の場合には、既存のセル探索方法におけるそのようなセル探索プロセスは、複雑であり、またリソースを消費する。それゆえに、セル探索の方法およびデバイスが、マシンがセルの中で固定される場合のシナリオにおいて、コミュニケーション・プロセスを簡略化することが望ましい。
【発明の概要】
【発明が解決しようとする課題】
【０００６】
本発明の実施形態の一目的は、コストを低減させることができるマシン・タイプ・コミュニケーションの方法およびシステムを提供することである。
【課題を解決するための手段】
【０００７】
それゆえに、本発明の一態様によれば、本発明の一実施形態は、マシン・タイプ・コミュニケーションの方法を提供する。本方法は、マシンと、ネットワークとの間のネゴシエーションを通してマシンのオペレーション能力を決定するステップと、そのマシンにより、その決定されたオペレーション能力に基づいてネットワークと通信するステップとを備える。
【０００８】
本発明の一実施形態においては、ネゴシエーションは、マシンにより、その特定の能力をネットワークに対して送信するステップと、ネットワークにより、マシンの特定の能力に基づいてマシンのオペレーション能力を決定するステップ、およびオペレーション能力をマシンに対して送信するステップとを備えることができる。
【０００９】
本発明の一実施形態においては、ネットワークにより、マシンの特定の能力に基づいてマシンのオペレーション能力を決定するステップは、ネットワークにより、オペレータ戦略と、充電モードと、ユーザ・データベースとを取り出すことにより、マシンのために最も適切なオペレーション能力に重みを付けるステップを備えることができる。
【００１０】
有利には、本発明の実施形態の方法は、ネットワークにより、オペレーション能力をマシンに対して送信しながら、ネットワークの特定の能力をマシンに対してブロードキャストするステップと、最適なオペレーション能力を使用してネットワークと通信するために、マシンにより、ネットワークからのオペレーション能力と、特定の能力とに基づいて、最適なオペレーション能力を決定するステップとをさらに備えることができる。
【００１１】
特定の能力は、サポートされた能力と、好ましい能力とを備えることが好ましい。
【００１２】
それらの能力は、物理レイヤ・リンクの上の能力を備えることが好ましい。
【００１３】
本発明の別の態様によれば、本発明の一実施形態は、マシンとのネゴシエーションを通してマシンのオペレーション能力を決定するように構成されたネットワークと、決定されたオペレーション能力に基づいてネットワークと通信するように構成されたマシンとを備えるマシン・タイプ・コミュニケーションのシステムを提供する。
【００１４】
本発明の一実施形態においては、マシンは、マシンの特定の能力をネットワークに対して送信するように構成された特定能力送信モジュールと、オペレーション能力をネットワークから受信するように構成されたオペレーション能力受信モジュールと、オペレーション能力に基づいてネットワークと通信するように構成されたアプリケーション・モジュールとを備えることができ、またネットワークは、マシンの特定の能力に基づいてマシンのオペレーション能力を決定するように構成されたオペレーション能力決定モジュールと、決定されたオペレーション能力をマシンに対して送信するように構成されたオペレーション能力送信モジュールとを備えることができる。
【００１５】
本発明の一実施形態においては、オペレーション能力決定モジュールは、オペレータ戦略と、充電モードと、ユーザ・データベースとを取り出すことによりマシンのために最も適切なオペレーション能力に重みを付けることができる。
【００１６】
有利には、オペレーション能力送信モジュールは、オペレーション能力をマシンに対して送信しながら、ネットワークの特定の能力をマシンに対してブロードキャストするように構成されており、オペレーション能力受信モジュールは、オペレーション能力と、特定の能力とをネットワークから受信するように構成されており、またアプリケーション・モジュールは、最適なオペレーション能力を使用してネットワークと通信するために、ネットワークからのオペレーション能力と、特定の能力とに基づいて最適なオペレーション能力を決定するように構成されている。
【００１７】
特定の能力は、サポートされた能力と、好ましい能力とを備えることができることが好ましい。
【００１８】
能力は、物理レイヤ・リンクの上の能力を備えることができることが好ましい。
【００１９】
添付の図面を参照して、本発明についての上記および他の態様と、特徴と、利点とは、本発明の非限定的な実施形態についての以下の詳細な説明から、より明らかになるであろう。
【図面の簡単な説明】
【００２０】
【図１】本発明の一実施形態によるマシン・タイプ・コミュニケーションの方法についての包括的な概念のフローチャートである。
【図２】３ＧＰＰ  ＲＡＮにおける物理レイヤ・リンクの概略図である。
【図３】本発明の一実施形態によるマシン・タイプ・コミュニケーションの方法についてのフローチャートである。
【図４】本発明の一実施形態によるマシン・タイプ・コミュニケーションの方法についての情報転送図である。
【図５】マシンのために最も適切なオペレーション能力に重みを付けるために考慮に入れられる必要があるファクタの概略図である。
【図６】本発明の一実施形態によるマシン・タイプ・コミュニケーションのシステム６００についての機能ブロック図である。
【図７】本発明の一実施形態によるセル探索方法についてのフローチャートである。
【図８】本発明の一実施形態によるセル探索デバイス８００についての機能ブロック図である。
【発明を実施するための形態】
【００２１】
本発明の例示の実施形態が、添付図面を参照して以下で説明されることになる。例示の実施形態においては、３ＧＰＰ  ＲＡＮが、一例として取り上げられる。しかしながら、当業者は、本発明の範囲が、それだけには限定されず、また例示の実施形態が、単に説明の目的のためにすぎず、それゆえに、例示の実施形態が、本発明に対するどのような限定の代わりに、本発明の例として考えられるべきであり、本発明の実施形態を利用した任意の解決方法が、本発明の保護範囲の内部に含まれるべきであることを理解するであろう。
【００２２】
図１は、本発明の一実施形態によるマシン・タイプ・コミュニケーションの方法についての包括的な概念のフローチャートを示すものである。
【００２３】
図１に示されるように、ステップ１０１において、マシンは、ネットワークとネゴシエートして、マシンのオペレーション能力を決定する。ステップ１０２において、マシンは、決定されたオペレーション能力に基づいてネットワークと通信する。先行技術における特定のアプリケーションに関するマシンについてのあらかじめ構成する能力とは違って、本発明の実施形態は、ネゴシエーションを通してマシンの能力を決定し、それによってマシン・タイプ・コミュニケーションのコストを低減させ、またあらかじめ構成された能力に起因した増大されたコストの欠陥を取り除く。
【００２４】
本発明の実施形態による方法は、一例として３ＧＰＰ  ＲＡＮを用いて以下で示される。
【００２５】
図２は、３ＧＰＰ  ＲＡＮにおける物理レイヤ・リンクの概略図を示すものである。
【００２６】
物理レイヤ・リンクは、サポートされた物理レイヤ・チャネルと、ＦＥＣと、変調設定と、許可された送信パワーと、帯域幅と、ＲＦモジュールなどとを備えることができる。この例においては、図２に示されるように、物理レイヤ・リンクは、以下の物理レイヤ・ブロックを、すなわちサポートされたチャネル２０１と、符号化スキーム２０２と、変調および符号化のスキーム（ｍｏｄｕｌａｔｉｏｎ  ａｎｄ  ｃｏｄｉｎｇ  ｓｃｈｅｍｅ）（ＭＣＳ）２０３と、送信パワー・レベル２０４と、帯域幅２０５と、無線周波数（ｒａｄｉｏ  ｆｒｅｑｕｅｎｃｙ）（ＲＦ）モジュール２０６とを備え、そこでは、サポートされたチャネル２０１は、ＰＵＳＣＨ、ＰＤＳＣＨなどの能力を備えることができ、符号化スキーム２０２は、ターボ符号化（Ｔｕｒｂｏ  ｃｏｄｉｎｇ）と、伝統的な符号化などとの能力を備えることができ、ＭＣＳ２０３は、ＱＰＳＫ（１／８）と、１６ＱＡＭと、６４ＱＡＭ（１／８、２／５、２／３）などとの能力を備えることができ、送信パワー・レベル２０４は、送信パワー・レベルｘｘと、送信パワー・レベルｙｙなどとの能力を備えることができ、帯域幅２０５は、１．２５Ｍの帯域幅と、５Ｍ／１０Ｍの帯域幅などとの能力を備えることができ、ＲＦモジュール２０６は、エラー・ベクトルの大きさ（ｅｒｒｏｒ  ｖｅｃｔｏｒ  ｍａｇｎｉｔｕｄｅ）（ＥＶＭ）と、フィルタと、アンテナなどとの能力を備えることができる。物理レイヤ・リンクにおいては、マシンは、各物理レイヤ・ブロックについての能力の一部分をサポートすることができる。
【００２７】
図３は、本発明の一実施形態によるマシン・タイプ・コミュニケーションの方法についてのフローチャートを示すものである。図４は、本発明の一実施形態によるマシン・タイプ・コミュニケーションの方法についての情報転送図を示すものである。
【００２８】
図３および４において示されるようである。
【００２９】
ステップ３０１において、マシンは、その特定の能力をネットワークに対して送信する。
【００３０】
マシンは、マシンによってサポートされる能力をネットワークに対して送信することができる。代わりに、マシンは、それが好ましいと考える能力をネットワークに対して送信することもできる。
【００３１】
ステップ３０２において、ネットワークは、マシンからの特定の能力に基づいて、マシンのオペレーション能力を決定する。
【００３２】
特に、マシンからのサポートされた能力、または好ましい能力を受信した後に、ネットワークは、オペレータ戦略と、充電モードと、ユーザ・データベースとを取り出し、それによってマシンにとって最も適切なオペレーション能力に重みを付ける。
【００３３】
図５は、マシンのために最も適切なオペレーション能力に重みを付けるために考慮に入れられる必要のあるファクタについての概略図を示すものである。図５に示されるように、例えば、重みを付けること（５０１）を実行して、以下のファクタを、すなわちマシン・モジュールが、最小限の能力を使用して、コストを最小にすべきであるというファクタ（５０３）と、マシン・モジュールが、性能と消費電力とを最適化すべき特定の能力を有するべきであるというファクタ（５０４）と、マシンが、ネットワークとのその互換性を最大にするために十分な機能をサポートすべきであるというファクタ（５０５）と、オペレータが、それらの能力と充電モードとを定義するそれ自体の戦略を有するというファクタ（５０６）とを包括的に考えることによりマシンに適切なオペレーション能力（５０２）を得ることができる。もちろん、重みが付けられたファクタは、上記だけには限定されない。以下のファクタもまた、考慮に入れられることが可能であり、すなわち、マシン・モジュールの設計は、実現可能なコストを用いて他のアプリケーションのために再使用されることが可能であり、またマシンによってサポートされる能力は、マシンのアプリケーションに特有／最適であるべきである、などである。
【００３４】
一例として、ネットワークは、いつマシンが、負荷状態に基づいてネットワークにアクセスすべきかを決定し、またはセル・サイズに基づいてマシンの送信パワーを決定することができる。例えば、セルが比較的に大きい場合、マシンが、より大きな送信パワーを用いて送信すべきであることが決定される。したがって、マシンの能力は、必要に応じて特定のルールを用いて決定されることが可能である。
【００３５】
この実施形態においては、上記のファクタに重みを付けることにより、このステップにおいてネットワークによって決定される、マシンのための適切なオペレーション能力は、ＰＵＳＣＨと、ターボと、ＱＰＳＫ１／８と、送信パワー・レベルｘｘと、１．２５Ｍの帯域幅と、フィルタおよびアンテナとであることが想定される。
【００３６】
ステップ３０３においては、ネットワークは、オペレーション能力をマシンに対して送信する。
【００３７】
このステップにおいては、代わりに、オペレーション能力をマシンに対して送信しながら、ネットワークはまた、ネットワークの特定の能力４０２をマシンに対してブロードキャストすることもできる。特に、ネットワークは、マシンに対して、ネットワークによってサポートされる、または好ましいと考えられる能力をブロードキャストすることができる。例えば、ネットワークは、マシンに対して、伝送帯域幅や送信サイクルなど、ネットワークの特定の能力を送信することができる。
【００３８】
ステップ３０４において、マシンは、決定されたオペレーション能力に基づいてネットワークと通信する。
【００３９】
このステップにおいては、マシンがまた、ネットワークから特定の能力を受信している場合、そのときにはマシンは、ネットワークからのオペレーション能力と、特定の能力とに基づいて最適なオペレーション能力を決定して、最適なオペレーション能力を使用してネットワークと通信する。例えば、マシンは、マシンのために最も適切な能力を選択して、ネットワークの伝送帯域幅、および送信サイクルなど、ならびにネットワークによって決定されるようなマシンについてのオペレーション能力に基づいて、ネットワークと通信し、それによって比較的最適な能力を利用して、ネットワークと通信する。オペレーション能力を直接に利用したコミュニケーションと比較して、それは、マシン・タイプ・コミュニケーションをさらに最適化する。
【００４０】
間違いなく、本方法は、終了する。ステップ３０４の後に、マシンが、ネットワークを用いてセッションを再開する場合、上記プロセスを反復することは、不必要になり、またマシンは、上記で決定された能力を使用して、ネットワークと直接に通信することができる。
【００４１】
上記の例は、物理レイヤ・リンクを使用して説明されているが、本発明の実施形態は、物理レイヤに適用されるようにだけには限定されず、また本発明の実施形態は、レイヤ２およびレイヤ３に適用されることも可能である。
【００４２】
図６は、本発明の一実施形態によるマシン・タイプ・コミュニケーションのシステム６００についての機能ブロック図を示すものである。
【００４３】
図６に示されるように、マシン・タイプ・コミュニケーションのシステム６００は、マシンとのネゴシエーションを通してマシン６０２のオペレーション能力を決定するように構成されたネットワーク６０１と、その決定されたオペレーション能力に基づいてネットワーク６０１と通信するように構成されたマシン６０２とを備える。
【００４４】
マシン６０２は、マシン６０２の特定の能力をネットワーク６０１に対して送信するように構成された特定能力送信モジュール６０２１と、オペレーション能力をネットワーク６０１から受信するように構成されたオペレーション能力受信モジュール６０２２と、オペレーション能力に基づいてネットワーク６０１と通信するように構成されたアプリケーション・モジュール６０２３とを備える。
【００４５】
ネットワーク６０１は、マシン６０２の特定の能力に基づいてマシン６０２のオペレーション能力を決定するように構成されたオペレーション能力決定モジュール６０１１と、その決定されたオペレーション能力をマシン６０２に対して送信するように構成されたオペレーション能力送信モジュール６０１２とを備える。本明細書において、オペレーション能力決定モジュール６０１１は、オペレータ戦略と、充電モードと、ユーザ・データベースとを取り出すことにより、マシン６０２のために最も適切なオペレーション能力に重みを付けることができる。
【００４６】
追加して、オペレーション能力送信モジュール６０１２は、さらに、オペレーション能力をマシン６０２に対して送信しながら、ネットワーク６０１の特定の能力をマシン６０２に対してブロードキャストすることもできる。この場合には、オペレーション能力受信モジュール６０２２は、ネットワーク６０１からオペレーション能力を受信するだけでなく、ネットワーク６０１から特定の能力を受信することもできる。この場合には、アプリケーション・モジュール６０２３は、ネットワーク６０１からのオペレーション能力と特定の能力とに基づいて最適なオペレーション能力を決定して、最適なオペレーション能力を使用してネットワーク６０１と通信することができる。
【００４７】
上記で説明される特定の能力は、サポートされた能力と、好ましい能力とを備えることができる。本明細書において、能力は、物理レイヤ・リンクの上の能力、例えば、サポートされたチャネル、符号化スキーム、ＭＣＳ、送信パワー・レベル、帯域幅、ＲＦモジュールなどを備えることができる。
【００４８】
したがって、本発明の実施形態は、ネゴシエーション・メカニズムを用いてマシンについての能力を割り当て、またマシンの製造コストだけでなく、ネットワークのオペレーション・コストもまた低減されるように、特定のアプリケーションに関して特定の能力をマシンに対して割り当てることは不必要であることが、分かる。さらに、ネゴシエーションを通して、重みを付けることは、マシンが、最適な性能を使用してネットワークと通信することができるように、コスト、性能、品質、および互換性を考慮して実行されることが可能である。
【００４９】
本発明の実施形態の別の基本的な概念は、セルの中で固定されるデバイスの場合に、セルについての伝送パラメータをあらかじめ構成することにより、デバイスは、全体の周波数帯域にわたってセル探索を実行せずにセルに直接にマッチさせるようにイネーブルにされ、また正常なマッチの場合に、データは、ＢＣＨチャネルと、セル特有の基準信号との事前の受信のいずれもなしに、ネットワークから直接に受信されることである。明らかに、それは、リソースの浪費が、低減されることが可能であるように、セル探索プロセスを非常に簡略化する。
【００５０】
図７は、本発明の実施形態によるセル探索方法についてのフローチャートを示すものである。
【００５１】
図７において示されるようである。
【００５２】
ステップ７０１において、セルについての伝送パラメータは、セルの中で固定されるデバイスについてあらかじめ構成されている。
【００５３】
この実施形態においては、セルの中で固定されるデバイスは、インテリジェントな測定デバイスなど、例えば、家の内部にインストールされるインテリジェントな水道メータとすることができる。それは、移動可能ではないので、インテリジェントな水道メータが、モバイル端末のような複雑なセル探索プロセスを実行することは、不必要であろう。これを考慮して、一連の伝送パラメータは、デバイスが位置しているセルに関してデバイスについてあらかじめ構成されていることが可能である。伝送パラメータは、それだけには限定されないが、セルＩＤと、周波数と、スクランブリング・コードと、同期信号などとを含む。
【００５４】
ステップ７０２において、デバイスは、あらかじめ構成された伝送パラメータを使用して、セルに直接にマッチさせる。
【００５５】
伝送パラメータは、デバイスについてあらかじめ構成されているので、デバイスは、全体の周波数帯域にわたって最も強い信号を有するセルを探索することが必要とされず、それは、デバイスが位置しているセルに直接にマッチさせる、すなわち同期化を実行することができる。
【００５６】
ステップ７０３において、ステップ７０２におけるマッチが、成功しているかどうかが決定され、マッチが成功している場合、そのときにはプロセスは、ステップ７０４へと進み、そうでない場合には、プロセスは、ステップ７０５へと進む。
【００５７】
ステップ７０４において、デバイスは、データを直接に受信し、またプロセスは、ステップ７０６へと進む。
【００５８】
この実施形態においては、伝送パラメータが、あらかじめ構成されているので、デバイスは、第１の受信するＢＣＨなしに、データを直接に受信することができ、さらに、セル特有の基準信号は、それ以上必要とされない。それゆえに、デバイスは、データを直接に受信し、また受信されたセル特有の基準信号を捨てることができる。
【００５９】
ステップ７０５において、デバイスは、非正常状態へのエントリを通知し、またプロセスは、終了する。
【００６０】
この実施形態においては、デバイスは、ちらつき（ｆｌｉｃｋｅｒｉｎｇ）、赤色光、サウンドなど、様々な方法で非正常状態へのエントリについてユーザに通知することができる。
【００６１】
しかしながら、先行技術においては、マッチが失敗する場合、セル探索は、使用可能なセルが見出されるまで、循環的に実行されることになる。しかしながら、本発明の実施形態は、そのようなやっかいなステップを必要とせず、それによってコミュニケーション・プロセスを簡略化する。その一方で、ユーザは、現在のマッチ状態について知ることができるようにされ、またそれによってユーザとの対話が、増大され、その結果、現在遭遇している問題は、リアル・タイムで取り扱われることが可能になる。
【００６２】
ステップ７０６において、デバイスが、パラメータをアップデートすることについての表示を受信する場合には、デバイスは、次のセル探索において使用するためのパラメータをアップデートすることについての表示に基づいてあらかじめ構成された伝送パラメータをアップデートすることができる。
【００６３】
このステップは、ステップ７０５の後に実行されるが、必ずしもそうであるとは限らないこともある。このステップにおいて、例えば、ネットワークが、セルについての現在構成されている伝送パラメータがデバイスのために適切ではないことを見出す場合、ネットワークは、パラメータをアップデートすることについての表示をデバイスに対して送信することができる。そのような表示を受信した後に、デバイスは、ネットワークから受信される新しい伝送パラメータを使用して、それらのパラメータをアップデートすることについての表示に基づいて、元の伝送パラメータを置換することができる。次のセル探索においては、デバイスは、アップデートされた伝送パラメータを使用して、セルとのマッチを実行することができる。
【００６４】
例えば、ネットワークが、デバイスに対して以前に割り当てられたセルＩＤがそれ以上デバイスのために適切でないことを見出す場合、それは、新しいセルＩＤをデバイスに対して送信する表示を発行することができる。次いで、次のセル探索においては、デバイスは、新しいセルＩＤを使用して、セルＩＤに対応するセルとのマッチを実行することができる。
【００６５】
ステップ７０７において、デバイスは、スリープ状態に入り、一定の期間の後までアクティブにされることを待ち、またプロセスは、デバイスがアクティブにされた後に、ステップ７０２へと戻る。
【００６６】
このステップにおいて、デバイスによるスリープ状態へのエントリのあらかじめ決定された期間の後に、すなわち、タイマの期限切れの後に、ネットワークは、リソースを解放して、ステップ７０２に入るようにデバイスをアクティブにすることができる。
【００６７】
図８は、本発明の一実施形態によるセル探索デバイス８００の機能ブロック図を示すものである。
【００６８】
図８に示されるように、セル探索デバイス８００は、セルの中で固定され、またセルに関してセル探索デバイスについて伝送パラメータが、あらかじめ構成されている。セル探索デバイス８００は、あらかじめ構成された伝送パラメータを使用してセルを直接にマッチさせるように構成されたマッチング・モジュール８０１と、マッチが成功しているかどうかを決定するように構成された決定モジュール８０２と、決定モジュール８０２が、成功しているマッチを決定する場合に、データを直接に受信するように構成された操作モジュール（ｏｐｅｒａｔｉｎｇ  ｍｏｄｕｌｅ）８０２とを備える。
【００６９】
操作装置（ｏｐｅｒａｔｉｎｇ  ａｐｐａｒａｔｕｓ）８０３は、さらに、成功していないマッチの場合に異常状態へのエントリを通知することができる。
【００７０】
さらに、本発明の実施形態のセル探索デバイス８００は、パラメータをアップデートすることについての表示を受信するとすぐに、マッチング・モジュール８０１によって使用するためのパラメータをアップデートすることについての表示に基づいてあらかじめ構成された伝送パラメータをアップデートするように構成されたアップデート・モジュール（ｕｐｄａｔｉｎｇ  ｍｏｄｕｌｅ）８０４と、アップデート・モジュール８０４が、伝送パラメータをアップデートした後に、セル探索デバイスが、スリープ状態に入り、また一定の期間の後にアクティブにされることを待つことを可能にするように構成されたスリープ・モジュール８０５とをさらに備えることができる。例えば、セル探索デバイスは、ネットワークによって解放されるリソースを受信することにより、次のセル探索を実行するようにアクティブにされることが可能である。
【００７１】
したがって、本発明の実施形態は、セルについての伝送パラメータをセルの中で固定されるセル探索デバイスに対して割り当てることにより、セル探索デバイスが、全体の周波数帯域において使用可能なセルを探索すること、ＢＣＨチャネルを受信すること、セル特有の基準情報を取得すること、および失敗しているマッチの場合に、マッチングを循環的に実行さえすることが、必要とされないようにすることができ、またそれによって送信パワーと、アップリンク・プロセスとが、最大限の程度まで簡略化されることが、分かる。結果として、セル探索プロセスは、非常に簡略化され、またリソースの利用が、改善される。さらに、セル探索デバイスのために構成される伝送パラメータが、アップデートされ得るので、セル探索デバイスは、必要に応じて異なるセルにアクセスすることが可能にされ、これは、柔軟性を改善する。
【００７２】
当業者は、上記の方法の異なるステップが、コンピュータを使用して、プログラミングを通して実装され得ることを簡単に理解するであろう。ここで、いくつかの実施形態は、同様に、マシン読取り可能な、またはコンピュータ読取り可能なプログラム・ストレージ・デバイス（例えば、デジタル・データ・ストレージ媒体）と、符号化されたマシン実行可能な、またはコンピュータ実行可能なプログラム命令とを備え、そこでは、命令は、上記の方法のステップの一部または全部を実行する。プログラム・ストレージ・デバイスは、例えば、デジタル・メモリ、磁気ストレージ媒体（磁気ディスクや磁気テープなど）、ハードウェア、または光学的読取り可能なデジタル・データ・ストレージ媒体とすることができる。実施形態は、同様に、ストレージ媒体の上に記録されるプログラムを実行して、上記方法のステップを実行するためのコンピュータを備える。
【００７３】
図面を参照しての上記説明は、単に、本発明を例証するための例として提供されるにすぎない。当業者は、異なる構造が、本発明の上記で説明された原理に基づいて提供され得ることを理解するであろう。これらの異なる構造は、明示的に説明され、または示されてはいないが、それらは、本発明の原理を実施し、また本発明の精神および範囲の内部に含まれる。さらに、本明細書において、列挙されるような例は、主として、これらの発明者等により、当技術を推進することに寄与される本発明の原理と概念とを理解する際に読者を支援する教育上の目的のためにすぎないように明示的に意図され、これは、これらの具体的に列挙された例および状態だけに限定することのないように解釈されるべきである。さらに、本発明の原理、態様、および実施形態を列挙している、本明細書におけるすべての記述、ならびにその特定の例は、その同等物を包含する。
【図１】
0005852091.tif 000002
【図２】
0005852091.tif 000003
【図３】
0005852091.tif 000004
【図４】
0005852091.tif 000005
【図５】
0005852091.tif 000006
【図６】
0005852091.tif 000007
【図７】
0005852091.tif 000008
【図８】
0005852091.tif 000009